(57)【特許請求の範囲】
【請求項１】
グリル庫と、グリル庫の天井板上に配置するグリルバーナとを備えるグリルであって、グリルバーナは、下面が開放された偏平箱形のバーナ本体と、バーナ本体の下面を覆うようにバーナ本体に固定された多数の炎孔を有する板金製の燃焼板とを備え、天井板に開設したバーナ用開口に燃焼板を臨ませた状態でグリルバーナが天井板上に配置され、燃焼板の所定部位の下方に先端部が位置する点火電極が設けられ、点火電極と燃焼板の所定部位との間での火花放電でグリルバーナに点火させるものにおいて、
バーナ本体に固定したグリル庫の外部に位置する取付ブラケットに点火電極が固定され、点火電極の先端部が、天井板のバーナ用開口の周縁部から下方に屈曲する段差部に形成した透孔を通してグリル庫内に挿入されて、燃焼板の所定部位の下方に位置することを特徴とするグリル。
【請求項２】
請求項１記載のグリルであって、前記取付ブラケットに上方からネジ止めする押え板により前記点火電極を上方から押え付けた状態で取付ブラケットに固定するものにおいて、取付ブラケットに、前記天井板の前記段差部の下端から外方に張り出すフランジ部に当接して、取付ブラケットが下方に撓むことを防止するストッパ部が設けられることを特徴とするグリル。
【発明の詳細な説明】
【技術分野】
【０００１】
本発明は、グリル庫と、グリル庫の天井板上に配置するグリルバーナとを備えるグリルに関する。
【背景技術】
【０００２】
従来、この種のグリルにおいて、グリルバーナは、バーナ本体と、天井板に開設したバーナ用開口に臨ませてバーナ本体の下面に固定される多数の炎孔を有する燃焼板とを備えている。そして、燃焼板の下方に点火電極とこれに対向するターゲットとを配置し、点火電極とターゲットとの間での火花放電でグリルバーナに点火されるようにしている(例えば、特許文献１参照)。尚、点火電極とターゲットは天井板に固定した取付ブラケットに取付けられている。
【０００３】
ところで、グリルバーナの燃焼板は、一般的にセラミックス製であるが、コストダウンのために、燃焼板を板金製としたグリルバーナも知られている。燃焼板を板金製とした場合、燃焼板の所定部位の下方に点火電極の先端部を位置させ、点火電極と燃焼板の所定部位との間での火花放電でグリルバーナにダイレクト点火させるように構成できる。
【０００４】
但し、この場合には、点火性能を向上させるために、燃焼板と点火電極とのスパークギャップを形成する相対位置精度を確保することが必要になる。然し、点火電極を従来例の如く天井板に固定の取付ブラケットに取付けたのでは、天井板と点火電極との相対位置精度は確保できても、天井板に対しグリルバーナが多少とも位置ずれすることがあるため、燃焼板と点火電極との相対位置精度を確保できなくなる。その結果、火花放電が混合気の薄い所で行われ、点火しにくくなる場合がある。
【先行技術文献】
【特許文献】
【０００５】
【特許文献１】特開２０００−１７９８５４号公報
【発明の概要】
【発明が解決しようとする課題】
【０００６】
本発明は、以上の点に鑑み、グリルバーナの燃焼板と点火電極との相対位置精度を確保して、点火電極と燃焼板の所定部位との間での火花放電による点火性能を向上できるようにしたグリルを提供することをその課題としている。
【課題を解決するための手段】
【０００７】
上記課題を解決するために、本発明は、グリル庫と、グリル庫の天井板上に配置するグリルバーナとを備えるグリルであって、グリルバーナは、下面が開放された偏平箱形のバーナ本体と、バーナ本体の下面を覆うようにバーナ本体に固定された多数の炎孔を有する板金製の燃焼板とを備え、天井板に開設したバーナ用開口に燃焼板を臨ませた状態でグリルバーナが天井板上に配置され、燃焼板の所定部位の下方に先端部が位置する点火電極が設けられ、点火電極と燃焼板の所定部位との間での火花放電でグリルバーナに点火させるものにおいて、バーナ本体に固定したグリル庫の外部に位置する取付ブラケットに点火電極が固定され、点火電極の先端部が、天井板のバーナ用開口の周縁部から下方に屈曲する段差部に形成した透孔を通してグリル庫内に挿入されて、燃焼板の所定部位の下方に位置することを特徴とする。
【０００８】
本発明によれば、バーナ本体に固定の取付ブラケットに点火電極が固定されるため、天井板に対しグリルバーナが位置ずれしても、バーナ本体に固定の燃焼板と点火電極との相対位置精度は確保される。従って、燃焼板の所定部位の下方に所定の間隔で正確に点火電極の先端部が位置し、点火電極の先端部と燃焼板の所定部位との間で確実に火花放電が行われて、点火性能が向上する。
【０００９】
また、本発明において、取付ブラケットに上方からネジ止めする押え板により点火電極を上方から押え付けた状態で取付ブラケットに固定する場合は、取付ブラケットに、天井板の段差部の下端から外方に張り出すフランジ部に当接して、取付ブラケットが下方に撓むことを防止するストッパ部を設けることが望ましい。これによれば、押え板のネジ止め作業に際し取付ブラケットに下方への押圧力が作用しても、取付ブラケットは下方に撓むことがなく、この撓みによって燃焼板と点火電極との相対位置精度に狂いを生ずることを防止できる。
【図面の簡単な説明】
【００１０】
【図１】本発明の実施形態のグリルの斜視図。
【図２】図１のＩＩ−ＩＩ線で切断した要部の拡大断面図。
【図３】実施形態のグリルの天井板のグリルバーナ、点火電極及び熱電対を取付けた状態の下面図。
【発明を実施するための形態】
【００１１】
図１を参照して、１は本発明の実施形態のグリルを示している。このグリル１は、グリル庫２と、グリル庫２の上面を覆う天井板２１上に配置したグリルバーナ３と、グリル庫２の前面に設けられた開閉自在なグリル扉４とを備えている。グリル庫２内には、図示省略したグリル皿とグリル皿上の焼き網とが収納され、焼き網に載置した被調理物がグリルバーナ３の燃焼により焼成される。
【００１２】
図２、図３も参照して、グリルバーナ３は、下面が開放された偏平箱形のバーナ本体３１と、バーナ本体３１の下面を覆うようにバーナ本体３１に固定された多数の炎孔３２ａを有する板金製の燃焼板３２と、バーナ本体３１の横方向一側部に接続された混合管３３とを備えている。バーナ本体３１内には、混合管３３を介して混合気(燃料ガスと一次空気との混合ガス)が供給され、この混合気が炎孔３２ａから噴出して燃焼する。
【００１３】
グリル庫２の天井板２１には、バーナ用開口２１ａが開設されており、このバーナ用開口２１ａに燃焼板３２を臨ませた状態でグリルバーナ３が天井板２１上に配置される。具体的には、バーナ本体３１の周縁のフランジ部３１ａの下面に燃焼板３２の周縁部を重ね合わせた状態で、フランジ部３１ａの外縁をヘミング加工して、バーナ本体３１に燃焼板３２を固定し、天井板２１のバーナ用開口２１ａの周縁部上面に、バーナ本体３１のフランジ部３１ａを複数個所でネジ３１ｂ止めしている。
【００１４】
また、グリル１には、燃焼板３２の横方向他側の所定部位の下方に先端部５ａが位置する点火電極５と、点火電極５に隣接する火炎検知素子たる熱電対６とが設けられている。そして、点火電極５と燃焼板３２の所定部位との間での火花放電でグリルバーナ３に点火、即ち、炎孔３２ａから噴出する混合気に点火させるようにしている。
【００１５】
ここで、点火性能を向上させるためには、燃焼板３２と点火電極５の先端部５ａとの相対位置精度を確保することが必要になる。そこで、本実施形態では、バーナ本体３１に固定したグリル庫２の外部に位置する取付ブラケット７に点火電極５を固定し、点火電極５の先端部５ａを、天井板２１のバーナ用開口２１ａの周縁部から下方に屈曲する段差部２１ｂに形成した透孔２１ｃを通してグリル庫２内に挿入して、燃焼板３２の所定部位の下方に位置させている。
【００１６】
より具体的に説明すれば、取付ブラケット７は、天井板２１の横方向他側の段差部２１ｂの横方向外側に位置する起立板部７１と、起立板部７１の上端から横方向内方に屈曲する上板部７２と、起立板部７１の下端から横方向外方に屈曲する下板部７３とを有している。そして、上板部７２をバーナ本体３１の横方向他側のフランジ部３１ａの前後方向中央部の上面に重ね、天井板２１のバーナ用開口２１ａの周縁部にフランジ部３１ａを締結する複数のネジ３１ｂのうちの１つを用いて上板部７２をフランジ部３１ａに締結している。
【００１７】
また、下板部７３に上方からネジ７４ａ止めする押え板７４により、点火電極５と熱電対６とを上方から押え付けた状態で下板部７３に固定している。点火電極５の先端部５ａは、起立板部７１に形成した透孔７１ａと、天井板２１の横方向他側の段差部２１ｂに形成した透孔２１ｃとを通して燃焼板３２の所定部位の下方に位置し、熱電対６の先端部も、起立板部７１に形成した透孔７１ｂ(図１参照)と段差部２１ｂに形成した透孔とを通して燃焼板３２の下方に位置する。
【００１８】
本実施形態の如く、バーナ本体３１に固定の取付ブラケット７に点火電極５を固定すれば、天井板２１に対しグリルバーナ３が位置ずれしても、バーナ本体３１に固定の燃焼板３２と点火電極５との相対位置精度は確保される。従って、燃焼板３２の所定部位の下方に所定の間隔(例えば、３．５ｍｍ)で正確に点火電極５の先端部５ａが位置し、点火電極５の先端部５ａと燃焼板３２の所定部位との間で確実に火花放電が行われて、点火性能が向上する。
【００１９】
尚、天井板２１は、横方向各側の段差部２１ｂの下端から横方向外方に張り出すフランジ部２１ｄを有しており、このフランジ部２１ｄがグリル庫２の横方向各側の側板２２の上端に結合される。そして、本実施形態では、取付ブラケット７に、下板部７３の前後両端に位置させて、フランジ部２１ｄに当接するストッパ部７５を設けている。
【００２０】
これによれば、押え板７４のネジ７４ａ止め作業に際し下板部７３に下方への押圧力が作用しても、下板部７３はストッパ部７５で支持されるので下方に撓むことがない。従って、下板部７３の撓みによって燃焼板３２と点火電極５との相対位置精度に狂いを生ずることを防止できる。
【符号の説明】
【００２１】
１…グリル、２…グリル庫、２１…天井板、２１ａ…バーナ用開口、２１ｂ…段差部、２１ｃ…透孔、２１ｄ…フランジ部、３…グリルバーナ、３１…バーナ本体、３２…燃焼板、５…点火電極、５ａ…点火電極の先端部、７…取付ブラケット、７４…押え板、７５…ストッパ部。
【図１】
0006018111.tif 000002
【図２】
0006018111.tif 000003
【図３】
0006018111.tif 000004